(57)【要約】【課題】  磁気ディスクの容量、すなわちユーザ領域を損なうことなく磁気ディスク自身の品種、生産日、ロッド番号等の管理情報を有効に記録することが可能な磁気ディスクを提供する。【解決手段】  円盤状の基板上に螺旋状または同心円状にトラックを有する磁気ディスクにおいて、ディスク内外端部のトラックの存在しない部分に反射率の異なるパターンで形成されたパターン部を有することを特徴とする磁気ディスクにより、磁気ディスクの通常は使用されない領域を利用してディスク固有の情報を反射率の異なるパターンから成るパターン部として形成して、このパターン部に管理情報を記録する。この管理情報に基づいて磁気ディスクの履歴等を容易に管理することが可能となる。【選択図】      図１
2005310305.tif 000002
【特許請求の範囲】
【請求項１】
円盤状の基板上に螺旋状または同心円状にトラックを有する磁気ディスクにおいて、
ディスク内外端部のトラックの存在しない部分に反射率の異なるパターンで形成されたパターン部を有する
ことを特徴とする記録領域以外に管理情報を有する磁気ディスク。
【請求項２】
前記パターン部は、金属膜の有無によって形成されていることを特徴とする請求項１に記載の磁気ディスク。
【請求項３】
前記パターン部は、複数の金属膜が積層されて成ることを特徴とする請求項１に記載の磁気ディスク。
【請求項４】
前記パターン部は、積層された金属膜の各々の反射率の相違によって形成されていることを特徴とする請求項３に記載の磁気ディスク。
【請求項５】
前記パターン部に、磁気特性、生産日、製造担当者などのディスク固有の情報が形成されていることを特徴とする請求項１乃至請求項４に記載の磁気ディスク。
【請求項６】
前記パターン部は、バーコードで形成されていることを特徴とする請求項１乃至請求項５のいずれか１項に記載の磁気ディスク。
【発明の詳細な説明】
【技術分野】
【０００１】
この発明は、磁気ディスクのユーザ記憶容量を損なうことなく管理情報等を記録することが可能な磁気ディスクに関する。
【背景技術】
【０００２】
近年、大容量の外部記憶装置として磁気ディスク装置が普及している。磁気ディスク装置の普及に伴い、これに搭載される磁気ディスクの普及枚数も増加の一途を辿っている。磁気ディスクの普及に伴って、その生産量の増加も著しくなり、この状況は、生産者に対して、管理体制の強化を強いることになってきている。
【０００３】
例えば、磁気ディスクの生産においては、各生産品（磁気ディスク）の品種、磁気特性、生産日、ロッドナンバー等を正確に管理しなければならない。また、これら磁気ディスクを搭載する磁気ディスク装置の製造工程において、磁気ディスクの再利用等で、磁気ディスク自身の品種、磁気特性、生産日、ロッドナンバー等の管理情報を磁気ディスク自身に付加することで、磁気ディスク装置内への磁気ディスクの誤投入をさせることが必要となってきていた。
【０００４】
従来、光学的にディスク媒体上に情報を記録する光ディスクでは、その管理情報を光ディスク自身に付加することがおこなわれており、特許文献１や特許文献２のように、光ディスクの容量を損なうことなく光ディスク固有の情報を記録する領域を光ディスク自身に形成する技術が知られていた。
【０００５】
【特許文献１】特開２００１−１２６３１９公報（要約）
【特許文献２】特開２００３−１４１７８８公報（要約）
【発明の開示】
【発明が解決しようとする課題】
【０００６】
しかし、上述の先行技術文献は光ディスクに関するものであり、磁気ディスクの管理情報を磁気ディスクの容量を損なうことなく記録する技術は存在していなかった。また、磁気ディスクに対してその管理情報を磁気ディスクの通常使用される磁気記録領域に記録してしまうと、磁気ディスクのユーザが使用できる領域を使ってしまうことになり、磁気ディスクの容量を損なうことになるという問題が生じる。
【０００７】
そこで、本発明は上記の問題を解決するためになされたものであり、磁気ディスクの通常はユーザが使用する領域以外、すなわち、磁気ディスクの通常ユーザが使用しない領域を利用して、磁気ディスク固有の管理情報等を光学的にその反射率の他の領域と異なるパターンからなるパターン部を磁気ディスクの端部に設けることで、磁気ディスクの容量を損なうことなく磁気ディスク自身の品種、磁気特性、生産日、ロッド番号等の管理情報を記録することが可能な磁気記録以外に管理情報を有する磁気ディスクを提供することにある。
【課題を解決するための手段】
【０００８】
上述した課題を解決するために、この発明に係る磁気ディスクは、円盤状の基板上に螺旋状または同心円状にトラックを有する磁気ディスクにおいて、ディスク内外端部のトラックの存在しない部分に反射率の異なるパターンで形成されたパターン部を有することを特徴とするものである。
【発明の効果】
【０００９】
この発明によれば、磁気ディスクの通常は使用しない領域を利用して磁気ディスク固有の情報を反射率の異なるパターンから成るパターン部として形成することで、磁気ディスクの容量を損なうことなく磁気ディスク自身の品種、磁気特性、生産日、ロッドナンバー等の管理情報を有効に記録することができる磁気ディスクを提供することが可能となる。
【発明を実施するための最良の形態】
【００１０】
以下、この発明の実施の形態について、図面を参照しながら詳細に説明する。
図１〜図２は、本発明の実施形態の磁気ディスクを示す図である。図１において、（１１）は磁気ディスクであり、この磁気ディスクには製造工程において、管理情報である、磁気ディスク（１１）自身の品種、磁気特性、生産日、ロッドナンバー等が、磁気ディスク（１１）の内外端部（点線丸印で囲んだ）（１０）のユーザ情報の記録に用いない、すなわちユーザトラックの存在しない部分に記録される。
【００１１】
ここに記録される管理情報は光学的に読み取りが可能で、磁気ディスクの他の領域と反射率の異なるパターンが形成されたパターン部と称する。
次に、本発明の実施形態に係る磁気ディスク（１１）における磁性膜の積層構造の一例を図２に示す磁気ディスク（１１）の断面構造を示す図を用いながら以下に説明する。なお、磁性膜の積層構造は、この実施形態の積層構造に限定されるものではなく、幾つかの変更が可能である。
【００１２】
図２に示す磁気ディスク（１１）は、例えばアルミやガラスなどの非磁性材料からなる基板（１）と、この基板（１）上に、コバルト（Ｃｏ）クロム（Ｃｒ）白金（Ｐｔ）タンタル（Ｔａ）ボロン（Ｂ）の金属等からなる下地層（２）が形成され、更に、この下地層（２）上に形成された磁性層（３）と、この磁性層（３）上に形成されたダイヤモンド・ライク・カーボン（ＤＬＣ）膜等からなる保護層（４）、そして、この保護層（４）上に形成されたフッ素系膜からなる潤滑層（５）が積層されて構成されている。
【００１３】
また、図１に示すように、前記基板（１）は円盤状の形状をしており、その中央には磁気ディスク装置に取り付ける際に固定部材（クランパ）が接触して磁気ディスク（１１）をクランプするための通孔が設けられている。この基板（１）上に上述の下地層（２）、磁性層（３）、保護層（４）を順に積層して形成するが、この形成方法としては主にスパッタ法で成膜をすることでそれぞれの膜を順じ形成される。
【００１４】
また、最近では薄いカーボンでも良好な特性が得られるＣＶＤ（Ｃｈｅｍｉｃａｌ  Ｖａｐｏｒ  ｄｅｐｏｓｉｔｉｏｎ）カーボンを保護層（４）に用いること多く、この保護層（４）を形成した後、潤滑層（５）を塗布して磁気ディスク（１１）を構成している。
【００１５】
ここで、本発明の実施形態に係る磁気ディスク（１１）の製造工程を、図３、４を用いて詳しく説明する。
本発明の実施形態に係る磁気ディスク（１１）の管理情報は、図３、４に示すように、櫛状の凹凸形状を有する端部を持つ端部シールド（２０）を用いて、磁気ディスク（１１）のパターン部（１０）に形成される。具体的には、磁気ディスク（１１）のパターン部（１０）の基板（１）上にこの端部シールド（２０）を配置し、前述した各層を形成していく。
【００１６】
各層の積層方法は特許文献１記載の方法と同様に行なわれるが、本発明の実施形態ではこの端部シールド（２０）の凹凸部を磁気ディスク（１１）の端部、すなわちパターン部（１０）を覆うようにセットし、スパッタによる積層法により各層が形成されるものである。なお、積層法はスパッタに限定されずＣＶＤ等においても同様に用いられる。
【００１７】
このような端部シールド（２０）を用いることにより、図１（１０）に示すように、磁気ディスク（１１）のディスク側面に設けられたパターン部（２０）のトラック方向において、基板上に所定の膜、すなわち、下地層（２）、磁性層（３）が存在する所と存在しない所が分けられて形成されるようになる。なお、前記端部シールド（２０）をセットするタイミングは必ずしも上記のタイミングである必要はない。
【００１８】
磁気ディスク（１１）などのように、アルミやガラスなどの非磁性材料からなる基板（１）上に複数の金属膜を積層する場合、それぞれの金属膜の反射率の違いを利用して反射光量を変化させることも考えられる。具体的には、磁性層（３）がＣｏＣｒＰｔであり、保護膜（４）がＤＬＣ膜であれば、両者の反射率が大きく異なっている。これを利用し、磁性層（３）を形成した後、端部シールド（２０）を用いて、保護膜（４）を形成する方法も有効である。この場合、「膜有り」の個所が保護膜（４）であるＤＬＣ膜の有る個所、「膜無し」の個所が磁性層（３）であるＣｏＣｒＰｔの有る個所に相当して、双方の反射率が大きく異なる場所が交互に現れることになる。
【００１９】
いずれにしろ、前記凹凸形状を持つ端部シールド（２０）を磁気ディスク（１１）の端部の所定の領域であるパターン部（１０）にセットされ、この場所に反射率の異なるパターンを磁気ディスク（１１）の管理情報である、磁気ディスク自身の品種、磁気特性、生産日、ロッド番号等の情報をバーコードなど形成されたパターン部（２０）が形成されることになる。
【００２０】
これにより、磁気ディスク（１１）の通常ユーザ領域として使用しない領域を利用して磁気ディスク（１１）固有の情報を反射率の異なるパターンから成るパターン部として形成して、ここに管理情報を記録することで、磁気ディスクの容量を損なうことのない磁気ディスク（１１）を提供することが可能となる。また、従来は記録領域には不適当な磁気ディスク（１１）のディスク端部を有効に使用することが可能になる。
【００２１】
次に、反射率の変化を信号に復号する方法について述べる。具体的には、反射光量の電圧を取り出し、反射率が高いところを１とし、低いところを０と認識するようにすることで、データを復号することができる。
【００２２】
復号された信号は磁気ディスク（１１）の管理情報等が記憶されており磁気ディスク（１１）を磁気ディスク装置に取り付ける際の管理等に有効に利用することが可能となる。
【００２３】
以上述べたように、本発明によれば、磁気ディスクの通常は使用されない領域を利用してディスク固有の情報を反射率の異なるパターンから成るパターン部として形成することで、ディスク容量を損なうことなく有効に活用することが可能となり、このパターン部に形成されたディスク固有の情報に基づいて、磁気ディスクの履歴等を容易に管理することが可能となる。
【図面の簡単な説明】
【００２４】
【図１】本発明の実施形態に係る磁気ディスクの形状、領域を説明する図
【図２】本発明の実施形態に係る磁気ディスクの断面及び層構造を説明する図
【図３】本発明の実施形態に係る磁気ディスクのパターン部に管理情報を記録する動作を説明する図
【図４】本発明の実施形態に係る磁気ディスクのパターン部に管理情報を記録する動作を説明するための磁気ディスクの側面図
【符号の説明】
【００２５】
１……基板
２……下地層
３……磁性層
４……保護層
５……潤滑層
１０……パターン部
１１……磁気ディスク
２０……シールド
【図１】
2005310305.tif 000003
【図２】
2005310305.tif 000004
【図３】
2005310305.tif 000005
【図４】
2005310305.tif 000006